(57)【要約】本発明の携帯用端末機は、映像を撮影するための映像撮影部と、上記映像撮影部で撮影された映像が映像データとして保存される保存部と、使用者が映像を撮影すると、上記映像データが、使用者があらかじめ設定したアドレスに自動で伝送するようにする自動伝送モード、又は上記映像データが上記保存部に保存された後、使用者が後に入力するアドレスに伝送するようにする手動伝送モードを設定することができる伝送モード設定部と、上記映像データ及び上記伝送モード設定部で設定された伝送モードを表示する表示部と、上記映像データを上記アドレスに無線通信を通じて伝送する無線通信部と、上記伝送モード設定部で自動伝送モードが設定されると上記映像データが上記保存部に保存されると同時に使用者があらかじめ設定したアドレスに自動で伝送されるように上記無線通信部を制御する制御部を備えるものであり、使用者が携帯用端末機で撮影した映像を個人用コンピューター又は他の使用者の携帯用端末機に手軽に伝送することができる。【選択図】図１
2013509130.tif 000002
【特許請求の範囲】
【請求項１】
映像を撮影するための映像撮影部と、
前記映像撮影部で撮影された映像が映像データとして保存される保存部と、
使用者が映像を撮影すると、前記映像データが、使用者があらかじめ設定したアドレスに自動で伝送するようにする自動伝送モード、又は前記映像データが前記保存部に保存された後、使用者が後に入力するアドレスに伝送するようにする手動伝送モードを設定することができる伝送モード設定部と、
前記映像データ及び前記伝送モード設定部で設定された伝送モードを表示する表示部と、
前記映像データを前記アドレスに無線通信を通じて伝送する無線通信部と、
前記伝送モード設定部で自動伝送モードが設定されると、前記自動伝送モードを前記保存部に伝送モード設定データとして保存し、前記自動伝送モードであらかじめ設定したアドレスは設定アドレスデータとして保存して、使用者が前記映像撮影部を通じて映像を撮影する度に、前記映像データが前記保存部に保存されると同時に、前記保存部に保存された設定アドレスに自動で伝送されるように前記無線通信部を制御する制御部を含む携帯用端末機。
【請求項２】
前記映像データが伝送されるアドレスは、前記保存部に保存されたアドレス帳データから呼び出すことができることを特徴とする請求項１に記載の携帯用端末機。
【請求項３】
前記アドレスは、前記アドレス帳データから１つ以上入力することができることを特徴とする請求項２に記載の携帯用端末機。
【請求項４】
前記アドレス帳データは、電子メールアドレス、電話番号、前記映像データがアップロード可能なウェブサーバのうち少なくとも１つを含むことを特徴とする請求項１に記載の携帯用端末機。
【請求項５】
前記携帯用端末機の現在位置をＧＰＳ信号から検出するＧＰＳ受信部をさらに備え、前記携帯用端末機で前記映像データを送る時、前記携帯用端末機で映像を撮影した位置情報も共に送ることを特徴とする請求項１に記載の携帯用端末機。
【請求項６】
使用者が撮影した映像があらかじめ設定したアドレスに自動で伝送するようにする自動伝送モードと、使用者が後に入力するアドレスに伝送するようにする手動伝送モードのうちいずれか１つを選択する段階と、
使用者が前記自動伝送モードを選択した後に撮影した映像が伝送されるアドレスを入力する段階と、
前記自動伝送モードを伝送モード設定データとして保存する段階と、
前記自動伝送モードであらかじめ設定したアドレスを設定アドレスデータとして保存する段階と、
使用者が映像を撮影する段階と、
使用者が映像を撮影する度に使用者が撮影した映像が保存された設定アドレスに伝送される段階を含む携帯用端末機で撮影した映像の管理方法。
【請求項７】
前記撮影した映像が伝送されるアドレスを入力する段階で、前記携帯用端末機に保存されたアドレス帳から少なくとも１つのアドレスを呼び出して入力することを特徴とする請求項６に記載の携帯用端末機で撮影した映像の管理方法。
【請求項８】
前記携帯用端末機で撮影した映像をあらかじめ設定したアドレスに伝送する時、前記携帯用端末機で映像を撮影した位置情報も共に伝送することを特徴とする請求項６に記載の携帯用端末機で撮影した映像の管理方法。
【発明の詳細な説明】
【技術分野】
【０００１】
本発明は、携帯用端末機及び携帯用端末機で撮影した映像の管理方法に関し、より詳しくは、携帯用端末機で撮影した映像を使用者があらかじめ設定したアドレスに自動で伝送するようにする携帯用端末機及び携帯用端末機で撮影した映像の管理方法に関するものである。
【背景技術】
【０００２】
携帯用端末機は、携帯が可能で、音声及び映像通話機能、情報を入力及び出力する機能、データを保存することができる機能等を備えた携帯用器機である。
【０００３】
携帯用端末機には、個人移動通信端末機（Ｐｅｒｓｏｎａｌ  Ｍｏｂｉｌｅ  Ｃｏｍｍｕｎｉｃａｔｉｏｎ  Ｓｅｒｖｉｃｅｓ  Ｔｅｒｍｉｎａｌ）、個人用デジタル端末機（Ｐｅｒｓｏｎａｌ  Ｄｉｇｉｔａｌ  Ａｓｓｉｓｔａｎｔｓ：  ＰＤＡ）、スマートフォン（Ｓｍａｒｔ  Ｐｈｏｎｅ）及び無線ＬＡＮ端末機等がある。
【０００４】
このような携帯用端末機は、初期には音声通話及び短文メッセージ伝送機能のみを有していたが、徐々に発展しながら、初期の単純な音声通話及び短文メッセージ伝送機能のみを有していたものが、停止映像及び動画の撮影機能、映像通話、電子手帳機能、音声又は映像保存機能、インターネット機能、娯楽機能等、多様な機能を具現することができるようになった。
【０００５】
携帯用端末機は、映像を撮影するための映像撮影部、及び上記映像撮影部で撮影された映像を表示する表示部を備える。上記映像撮影部は、一般的にＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーが使用され、上記表示部はＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  Ｄｉｏｄｅｓ）等が使用される。
【０００６】
このような携帯用端末機において、使用者が映像撮影部を用いて映像を撮影すると、携帯用端末機に備えられるメモリーに保存される。使用者は、このようにメモリーに保存された映像を個人用コンピューターに保存したり他の人に伝送することができる。
【０００７】
しかし、携帯用端末機で撮影した映像を個人用コンピューターに保存するためには、ＵＳＢポート等を使用して携帯用端末機を個人用コンピューターと連結した後、携帯用端末機の映像を個人用コンピューターに移動させて保存しなければならない。そして、携帯用端末機のメモリーに保存された映像を他の人に伝送するためには、受信する人の電話番号を携帯用端末機に入力した後、無線通信を用いて他の使用者の携帯用端末機に伝送しなければならない。
【０００８】
しかし、子供や老人のように携帯用端末機の使用に慣れていない使用者の場合、携帯用端末機で撮影した映像を個人用コンピューターに移すのが大変であった。そして、他の使用者の携帯用端末機に伝送するためには、映像を伝送するためのモードにして他の使用者の電話番号を入力しなければならない不便さがあった。
【０００９】
一方、最近児童や女性のような弱者に対する犯罪が増加している。このような犯罪に備えて、児童や女性の場合、車両に乗る前に携帯電話の写真として車両のナンバープレートを撮影した後、後に起きるかも知れない犯罪に備える場合もある。
【００１０】
しかし、携帯用端末機の使用者が犯罪者から突然犯罪にあった場合、写真を撮影してそれを知人に伝送するために複雑な手順を経なければならなかったため、他の人に伝送するのが難しかった。したがって、犯罪発生後、犯罪の解決に役立ちにくかった。そして、犯罪者の場合も、携帯用端末機の電源を遮断すれば携帯用端末機で犯罪に対するいかなる情報も提供されないという点をよく知っているため、犯罪を予防する効果が微々たる問題点があった。
【発明の概要】
【発明が解決しようとする課題】
【００１１】
本発明は、上記のような問題点を解決するためのものであり、本発明の目的は、子供や老人のように携帯用端末機の使用に慣れていない使用者の場合も、携帯用端末機で撮影した映像を手軽に個人用コンピューターや他の使用者の携帯用端末機に伝送することができる携帯用端末機及び携帯用端末機で撮影した映像の管理方法を提供することである。
【００１２】
本発明のまた他の目的は、児童や女性のような弱者が、移動経路を簡略にウェブサーバや他の人の携帯用端末機等に残すことができるため、犯罪の解決及び犯罪の予防に役立つ携帯用端末機、及び携帯用端末機で撮影した映像の管理方法を提供することである。
【課題を解決するための手段】
【００１３】
上記のような目的を達成するための本発明の一実施例による携帯用端末機は、映像を撮影するための映像撮影部と、上記映像撮影部で撮影された映像が映像データとして保存される保存部と、使用者が映像を撮影すると、上記映像データが、使用者があらかじめ設定したアドレスに自動で伝送するようにする自動伝送モード、又は上記映像データが上記保存部に保存された後、使用者が後に入力するアドレスに伝送するようにする手動伝送モードを設定することができる伝送モード設定部と、上記映像データ及び上記伝送モード設定部で設定された伝送モードを表示する表示部と、上記映像データを上記アドレスに無線通信を通じて伝送する無線通信部と、上記伝送モード設定部で自動伝送モードが設定されると、上記映像データが上記保存部に保存されると同時に使用者があらかじめ設定したアドレスに自動で伝送されるように上記無線通信部を制御する制御部を含む。
【００１４】
この時、上記映像データが伝送されるアドレスは、上記保存部に保存されたアドレス帳データから呼び出すことができ、上記アドレスは上記アドレス帳データから１つ以上入力することができる。
【００１５】
また上記アドレス帳データは、電子メールアドレス、電話番号、上記映像データがアップロード可能なウェブサーバのうち少なくとも１つを含むことができる。
【００１６】
一方、上記携帯用端末機の現在位置をＧＰＳ信号から検出するＧＰＳ受信部をさらに備え、上記携帯用端末機で上記映像データを送る時、上記携帯用端末機で映像を撮影した位置情報も共に送ることができる。
【００１７】
上記のような目的を達成するための本発明の一実施例による携帯用端末機で撮影した映像の管理方法は、使用者が撮影した映像があらかじめ設定したアドレスに自動で伝送するようにする自動伝送モードと、使用者が後に入力するアドレスに伝送するようにする手動伝送モードのうちいずれか１つを選択する段階と、使用者が上記自動伝送モードを選択した後に撮影した映像が伝送されるアドレスを入力する段階と、使用者が映像を撮影する段階と、使用者が撮影すると同時に使用者が撮影した映像が、使用者があらかじめ設定したアドレスに伝送される段階を含む。
【００１８】
この時、上記撮影した映像が伝送されるアドレスを入力する段階で、上記携帯用端末機に保存されたアドレス帳から少なくとも１つのアドレスを呼び出して入力することができる。
【００１９】
そして上記携帯用端末機で撮影した映像をあらかじめ設定したアドレスに伝送する時、上記携帯用端末機で映像を撮影した位置情報も共に伝送することができる。
【発明の効果】
【００２０】
本発明の一実施例による携帯用端末機及び携帯用端末機で撮影した映像の管理方法によれば、使用者が携帯用端末機で撮影した映像を個人用コンピューター又は他の使用者の携帯用端末機に手軽に伝送することができる。
【００２１】
また、携帯用端末機の使用者が映像を撮影するに伴って、撮影した映像の情報が継続してあらかじめ設定されたアドレスに送付されるため、犯罪が発生した場合には犯罪解決を容易にし、犯罪者には犯罪を犯しても簡単に捕まえられるという点を喚起させるため、犯罪予防に役立つようになる。
【図面の簡単な説明】
【００２２】
【図１】本発明の一実施例による携帯用端末機を図示したブロック図である。
【図２】図１に図示された携帯用端末機で撮影した映像の管理方法を示した順序図である。
【図３】本発明の一実施例による携帯用端末機で伝送モードを設定することができる画面を示す図面である。
【図４】本発明の一実施例による携帯用端末機で自動伝送モードが設定された後に被写体を撮影するためのモードに移行した状態を示す図面である。
【発明を実施するための形態】
【００２３】
以下では、本発明の実施例による携帯用端末機及び携帯用端末機で撮影した映像の管理方法について添付された図面を参照して詳しく説明する。
【００２４】
図１は、本発明の一実施例による携帯用端末機に備えられる構成間の関係を示したブロック図である。
【００２５】
図１に図示されたように、本発明の一実施例による携帯用端末機は、文字及び数字等を入力するための多数のキー１１０及び携帯用端末機を制御するための多数のキー１２０、１３０を備えるキー入力部１００と、レンズを通じて入射される光を用いて映像を撮影する映像撮影部２００と、各種メニュー及び上記映像撮影部２００で撮影された映像を表示する表示部３００と、各種データが保存される保存部４００と、各種音声データ及び映像データを、無線通信を通じて送受信する無線通信部５００と、携帯用端末機に設置される各種装置を制御する制御部６００を備える。
【００２６】
上記キー入力部１００は、数字又は文字を入力するための数字／文字キー１１０と、制御部６００が映像撮影部２００を動作させて映像を撮影するためのモードに移行する命令を出すようにする撮影モードキー１２０と、制御部６００が映像撮影部２００を動作させて映像を撮影するようにする命令を出すようにする撮影キー１３０を備える。
【００２７】
使用者は、キー入力部１００に設けられた数字／文字キー１１０、撮影モードキー１２０、撮影キー１３０等を用いて文字又は数字を入力したり、映像撮影部２００を制御するための命令を出す等、多様な作業を行うことができる。
【００２８】
上記映像撮影部２００は、レンズを通じて入射される光を用いて映像を撮影するが、光信号を電気的信号に変換することにより映像を撮影するようになる。このように光信号を電気的信号に変換するためにイメージセンサー（Ｉｍａｇｅ  Ｓｅｎｓｏｒ）が使用されるが、本実施例ではＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）のようなイメージセンサーが使用されることができる。
【００２９】
上記表示部３００は、携帯用端末機に使用される各種メニュー及び上記映像撮影部２００で撮影された映像等を表示するようになる。上記表示部３００はＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  Ｄｉｏｄｅｓ）等が使用されることができる。
【００３０】
そして上記表示部３００は、タッチスクリーン方式でも具現されることができるが、この場合、感圧式又は静電式方式のタッチスクリーンで具現されることができる。
【００３１】
上記表示部３００では、使用者が選択したメニューに従って異なる画面を表示するようになる。そして使用者が撮影モードキー１２０を押すと、映像撮影部２００で撮影された映像がプレビュー（Ｐｒｅｖｉｅｗ）されることにより、使用者が撮影キー１３０を用いて表示部３００に示される映像を撮影するか否かを決定することができるようにする。
【００３２】
一方、本発明の一実施例による携帯用端末機には、上記映像撮影部２００で撮影された映像が表示部３００に示されることができるように映像撮影部２００から出力される映像信号を映像データに変換する機能をする映像処理部２５０をさらに備える。上記映像処理部２５０は、映像撮影部から出力される映像信号をフレーム単位で処理し、フレーム映像データを表示部３００の表示特性及び大きさに対応するように出力する。また、映像処理部２５０は、映像コーデック（ＣＯＤＥＣ）を備えて表示部３００に表示されるフレーム映像データを設定された方式で圧縮したり、圧縮されたフレーム映像データを元の映像データに修復する機能をするようになる。
【００３３】
そして、本発明の一実施例による携帯用端末機には、各種情報及びデータが保存される保存部４００が備えられる。
【００３４】
上記保存部４００は、携帯用端末機の使用者と係わる人のアドレス情報が保存されるアドレス帳データ４１０と、上記映像撮影部２００で撮影した映像がデータ処理された後に保存される映像データ４２０と、後述する伝送モード設定部７００で設定された伝送モードに関する情報が保存される伝送モード設定データ４３０と、伝送モードで使用者が自動伝送モードを選択した時に使用者が設定したアドレスが保存される設定アドレスデータ４４０が保存される。
【００３５】
一方上記携帯用端末機には、無線通信部を通じて送信又は受信されるデータを処理するためのデータ処理部５５０が備えられる。上記データ処理部５５０は、無線を通じて送信するための信号を符号化及び変調する送信モジュール及び無線を通じて受信した信号を符号化及び変調する受信モジュールを備えることができる。上記データ処理部５５０は、受信されるデータを復調して制御部６００に提供し、上記制御部６００の制御によって伝送しなければならないデータを変調して無線通信部５００に出力する。
【００３６】
無線通信部５００は、携帯用端末機の無線通信のためのデータの送受信機能を行う。無線通信部５００は、送信される信号の周波数を上昇変換及び増幅するＲＦ送信機と、受信される信号を低雑音増幅し周波数を下方変換するＲＦ受信機等で構成されることができる。また、無線通信部５００は、無線を通じて映像撮影部２００で撮影された映像データを受信してデータ処理部５５０に出力し、データ処理部５５０から出力された映像データを受信して入力されたアドレスに伝送することができる。
【００３７】
一方、上記携帯用端末機には、使用者が映像を撮影すると、映像データを、使用者があらかじめ設定したアドレスに自動で伝送するようにする自動伝送モード、又は映像データが上記保存部４１０に保存された後に、使用者が後に入力するアドレスに伝送するようにする手動伝送モードを設定することができる伝送モード設定部７００が備えられる。
【００３８】
使用者が上記伝送モード設定部７００で自動伝送モードを選択すると、使用者が映像を撮影すると同時に映像データが、使用者があらかじめ設定したアドレスに自動で伝送される。例えば、使用者が、自分が使う電子メールアドレスに映像データが自動で伝送されるように設定したなら、使用者は写真を撮影した後に個人用コンピューターで電子メールに接続して伝送された映像データをダウンロードすることにより、容易に個人用コンピューターに携帯用端末機で撮影した映像を保存することができるようになる。
【００３９】
一方、使用者が伝送モード設定部７００で設定したモードは、保存部４００で伝送モード設定データ４３０として保存され、自動伝送モードであらかじめ設定したアドレスは、設定アドレスデータ４４０として保存される。
【００４０】
そして、上記携帯用端末機の現在位置をＧＰＳ信号から検出するＧＰＳ受信部８００をさらに備えることができる。このようなＧＰＳ受信部８００を備えることにより、携帯用端末機で使用者が撮影した映像データを送る時、携帯用端末機で映像を撮影した位置情報を共に伝送するようになる。
【００４１】
一方、上記制御部６００は、携帯用端末機に設置される各種装置である映像撮影部２００、映像処理部２５０、表示部３００、保存部４００、無線通信部５００、データ処理部５５０及び伝送モード設定部７００等を制御する。
【００４２】
特に上記制御部６００は、伝送モード設定部７００で自動伝送モードが設定された時、映像データが保存部４００に保存されると同時に使用者があらかじめ設定したアドレスに自動で伝送されるように無線通信部５００を制御する。
【００４３】
ここで使用者があらかじめ設定したアドレスは、上記保存部４００に保存されたアドレス帳データ４１０にある電子メールアドレス、電話番号、映像データがアップロード可能なウェブサーバ等がなることができる。
【００４４】
又は、上記アドレスは、数字／文字キー１１０によって使用者が電子メールアドレス、電話番号、映像データがアップロード可能なウェブサーバ情報を直接入力することもできる。ここでウェブサーバとは、インターネットと連動する個人ホームページやインターネットを通じてデータのアップロードが許諾されたサイトについてのアドレス情報をいう。
【００４５】
図２は、図１に図示された携帯用端末機で撮影した映像の管理方法を示した順序図である。
【００４６】
図２に図示されたように、本発明の一実施例による携帯用端末機で撮影した映像の管理方法は、使用者が撮影した映像があらかじめ設定したアドレスに自動で伝送するようにする自動伝送モードと、使用者が後に入力するアドレスに伝送するようにする手動伝送モードのうちいずれか１つを選択する段階Ｓ１１０と、使用者が上記自動伝送モードを選択した後に撮影した映像が伝送されるアドレスを入力する段階Ｓ１２０と、使用者が映像を撮影する段階Ｓ１３０と、使用者の撮影が終わると同時に使用者が撮影した映像が使用者があらかじめ設定したアドレスに伝送される段階Ｓ１４０を含む。
【００４７】
図３は、本発明の一実施例による携帯用端末機で伝送モードを設定する方法を示したもので、以下では図３を参照して使用者が伝送モードを設定する方法について設定する。
【００４８】
図３に図示されたように、使用者が映像撮影設定メニューに入るようになると、伝送モードを設定することができるモードがある。
【００４９】
この時、伝送モードを自動に設定し確認ボタンを押すと、保存部４００に保存された電子メールアドレス、電話番号、映像データがアップロード可能なウェブサーバ情報等が入ったアドレス帳データ４２０を呼び出すことができる画面が出るようになり、使用者は上記アドレス帳データ４２０から映像撮影部２００によって撮影した映像を伝送するアドレスを選択することができる。
【００５０】
このようにアドレスが選択された状態で確認ボタンを押すと、使用者が被写体を撮影すると同時に撮影された映像が伝送されるアドレスが保存部４００に設定アドレスデータ４４０として保存される。
【００５１】
図４は、本発明の一実施例による携帯用端末機で自動伝送モードが設定された後に使用者が撮影モードキー１２０を押して被写体を撮影するためのモードに移行した状態を示したものである。
【００５２】
図４に図示されたように、使用者が自動伝送モードを設定した後に映像を撮影するためのモードに移行すると、表示部３００には映像撮影部２００で撮影される映像がプレビューイング（Ｐｒｅｖｉｅｗｉｎｇ）される同時に、自動伝送モードが設定されているということが表示部３００に表示される。また、上記表示部３００には、映像撮影部２００で撮影された映像が伝送されるアドレスが表示される。
【００５３】
このように携帯用端末機で被写体を撮影するためのモードが設定された場合、使用者が撮影キー１３０を押すと、表示部３００によって表示される映像は保存部４００に映像データとして保存されると同時に、保存部４００に保存された設定アドレスに伝送される。
【００５４】
この時、保存部４００に保存される映像データの名前は、映像を撮影した日付で設定されることができる。例えば、映像を撮影した日付が２０１０年５月５日である場合、保存部４００に保存される映像データは２０１００５０５−１で始まる連続的な番号で保存されることができる。
【００５５】
この時、ＧＰＳ受信部８００で携帯用端末機の現在位置を検出して携帯用端末機で使用者が撮影した映像データを送る時に、携帯用端末機で映像を撮影した位置情報を共に伝送するようになる。
【００５６】
したがって、使用者が携帯用端末機を用いて車両の番号や周辺を撮影すれば、撮影された映像は使用者の電子メール等に自動で伝送され、電子メール等に伝送された写真には携帯用端末機で映像を撮影した位置情報が残っているため、携帯用端末機の使用者の身辺に問題が発生した場合、携帯用端末機の使用者を追跡することが容易で犯罪解決に役立つことができる。
【符号の説明】
【００５７】
１００：  キー入力部
２００：  映像撮影部
３００：  表示部
４００：  保存部
５００：  無線通信部
６００：  制御部
７００：  伝送モード設定部
【図１】
2013509130.tif 000003
【図２】
2013509130.tif 000004
【図３】
2013509130.tif 000005
【図４】
2013509130.tif 000006
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
映像を撮影するための映像撮影部と、
前記映像撮影部で撮影された映像が映像データとして保存される保存部と、
使用者が映像を撮影すると、前記映像データが、使用者があらかじめ設定したアドレスに自動で伝送するようにする自動伝送モード、又は前記映像データが前記保存部に保存された後、使用者が後に入力するアドレスに伝送するようにする手動伝送モードを設定することができる伝送モード設定部と、
前記映像データ及び前記伝送モード設定部で設定された伝送モードを表示する表示部と、
前記映像データを前記アドレスに無線通信を通じて伝送する無線通信部と、
前記伝送モード設定部で自動伝送モードが設定されると、前記自動伝送モードを前記保存部に伝送モード設定データとして保存し、前記自動伝送モードであらかじめ設定したアドレスは設定アドレスデータとして保存して、使用者が前記映像撮影部を通じて映像を撮影する度に、前記映像データが前記保存部に保存されると同時に、前記保存部に保存された設定アドレスに自動で伝送されるように前記無線通信部を制御する制御部を含む携帯用端末機。
【請求項２】
前記映像データが伝送されるアドレスは、前記保存部に保存されたアドレス帳データから呼び出すことができることを特徴とする請求項１に記載の携帯用端末機。
【請求項３】
前記アドレスは、前記アドレス帳データから１つ以上入力することができることを特徴とする請求項２に記載の携帯用端末機。
【請求項４】
前記アドレス帳データは、電子メールアドレス、電話番号、前記映像データがアップロード可能なウェブサーバのうち少なくとも１つを含むことを特徴とする請求項２に記載の携帯用端末機。
【請求項５】
前記携帯用端末機の現在位置をＧＰＳ信号から検出するＧＰＳ受信部をさらに備え、前記携帯用端末機で前記映像データを送る時、前記携帯用端末機で映像を撮影した位置情報も共に送ることを特徴とする請求項１に記載の携帯用端末機。
【請求項６】
使用者が撮影した映像があらかじめ設定したアドレスに自動で伝送するようにする自動伝送モードと、使用者が後に入力するアドレスに伝送するようにする手動伝送モードのうちいずれか１つを選択する段階と、
使用者が前記自動伝送モードを選択した後に撮影した映像が伝送されるアドレスを入力する段階と、
前記自動伝送モードを伝送モード設定データとして保存する段階と、
前記自動伝送モードであらかじめ設定したアドレスを設定アドレスデータとして保存する段階と、
使用者が映像を撮影する段階と、
使用者が映像を撮影する度に使用者が撮影した映像が保存された設定アドレスに伝送される段階を含む携帯用端末機で撮影した映像の管理方法。
【請求項７】
前記撮影した映像が伝送されるアドレスを入力する段階で、前記携帯用端末機に保存されたアドレス帳から少なくとも１つのアドレスを呼び出して入力することを特徴とする請求項６に記載の携帯用端末機で撮影した映像の管理方法。
【請求項８】
前記携帯用端末機で撮影した映像をあらかじめ設定したアドレスに伝送する時、前記携帯用端末機で映像を撮影した位置情報も共に伝送することを特徴とする請求項６に記載の携帯用端末機で撮影した映像の管理方法。
【国際調査報告】
2013509130.tif 000007
2013509130.tif 000008
2013509130.tif 000009
2013509130.tif 000010